(57)【要約】      （修正有）【課題】ペットが使用した後、排泄物を包み込むようにしてこのシートを畳んだ状態で、シートが広がるのを確実に抑えることができるペット用トイレシートを提供する。【解決手段】上面視で矩形状を呈するシート本体１０と、シート本体１０の中央部に配置され、シート本体１０の長辺および短辺のうち、いずれか一方の辺に沿って延びる矩形片状の固定テープ２０と、を備えている。固定テープ２０は、シート本体１０に全体が固着された矩形片状の固着部２１と、基端部を除く部分が、固着部２１に対して着脱可能とされたシール部２２と、を備えている。【選択図】図２
0003220037.tif 000002
【実用新案登録請求の範囲】
【請求項１】
上面視で矩形状を呈するシート本体と、
前記シート本体の裏面の中央部に配置され、前記シート本体の長辺および短辺のうち、いずれか一方の辺に沿って延びる矩形片状の固定テープと、を備えているペット用トイレシート。
【請求項２】
前記固定テープは、前記シート本体の長辺に沿って延びていることを特徴とする請求項１に記載のペット用トイレシート。
【請求項３】
前記固定テープは、
前記シート本体に全体が固着された矩形片状の固着部と、
基端部が、前記固着部の中央部に接続されるとともに、前記固着部に沿って延び、かつ前記基端部を除く部分が、前記固着部に対して着脱可能とされたシール部と、を備えていることを特徴とする請求項１又は２に記載のペット用トイレシート。
【請求項４】
前記シール部の先端部は、前記シート本体と異なる色になっていることを特徴とする請求項３に記載のペット用トイレシート。
【考案の詳細な説明】
【技術分野】
【０００１】
本考案は、ペット用トイレシートに関する。
【背景技術】
【０００２】
従来、例えば住宅内で飼育されるペットの排泄に供されるペット用トイレに使用され、排泄物とともに処分されるペット用トイレシートが知られている。
このようなペット用トイレシートとして、特許文献１には、疑似糞尿臭を発散する賦臭剤が固着されたペット用トイレシートが開示されている。
【先行技術文献】
【特許文献】
【０００３】
【特許文献１】特開２００５−２７５３７号公報
【考案の概要】
【考案が解決しようとする課題】
【０００４】
ところで、特許文献１に記載の考案では、ペットが使用した後、排泄物を包み込むようにしてこのシートを畳んで処分した際に、シートが広がるのを抑える点に改善の余地があった。このため、例えばごみ箱の中でシートが広がることで、排泄物のにおいがごみ箱の内部に充満するおそれがあった。
【０００５】
そこで本考案は、ペットが使用した後、排泄物を包み込むようにしてシートを畳んだ状態で、シートが広がるのを確実に抑えることができるペット用トイレシートを提供することを目的とする。
【課題を解決するための手段】
【０００６】
上記課題を解決するために、本考案に係るペット用トイレシートは、上面視で矩形状を呈するシート本体と、シート本体の裏面の中央部に配置され、シート本体の長辺および短辺のうち、いずれか一方の辺に沿って延びる矩形片状の固定テープと、を備えている。
【０００７】
また、固定テープは、シート本体の長辺に沿って延びてもよい。
【０００８】
また、固定テープは、シート本体に全体が固着された矩形片状の固着部と、基端部が、固着部の中央部に接続されるとともに、固着部に沿って延び、かつ基端部を除く部分が、前記固着部に対して着脱可能とされたシール部と、を備えてもよい。
【０００９】
また、シール部の先端部は、シート本体と異なる色になってもよい。
【考案の効果】
【００１０】
本考案のペット用トイレシートでは、上面視で矩形状を呈するシート本体の裏面に、矩形片状の固定テープが固定されている。このため、ペットが使用した後に、排泄物を包み込むようにシート本体を畳んだ状態で、裏側に配置された固定テープを用いてシート本体を固定することができる。これにより、排泄物を包み込むようにしてシートを畳んだ状態で、シートが広がるのを確実に抑えることができる。
【図面の簡単な説明】
【００１１】
【図１】本考案の一実施形態に係るペット用トイレシートの裏側からの分解斜視図である。
【図２】図１に示すペット用トイレシートにおける（ａ）裏面図、（ｂ）表面図である。
【図３】図２（ａ）に示すペット用トイレシートの側面図である。
【図４】図１に示すペット用トイレシートの使用手順を示す図である。
【図５】図１に示すペット用トイレシートの変形例である。
【考案を実施するための形態】
【００１２】
本考案の一実施形態に係るペット用トイレシート１について、図１から図４を参照して説明する。
本実施形態に係るペット用トイレシート１は、ペットが排泄する際に用いられ、排泄物Ｅを円滑に処分することができるシートである。
【００１３】
まず、図１および図２を用いてペット用トイレシート１の構成について説明する。図１は、本考案の一実施形態に係るペット用トイレシート１の裏側からの分解斜視図である。図２（ａ）は、ペット用トイレシート１における裏面図、図２（ｂ）は、ペット用トイレシート１における表面図である。
図１に示すように、ペット用トイレシート１は、上面視で長方形状（矩形状）を呈するシート本体１０と、シート本体１０の長辺および短辺のうち、いずれか一方の辺に沿って延びる矩形片状の固定テープ２０と、を備えている。以下の説明において、シート本体１０の長辺が延びる方向を長辺方向といい、短辺が延びる方向を短辺方向という。
【００１４】
シート本体１０は、複数のシートが積層されて構成されている。図示の例では、３つのシートにより構成されている。すなわち、シート本体１０は、最も裏側に配置された第１シート１１、最も表側に配置された第２シート１２、および第１シート１１と第２シート１２とにより挟まれた第３シート１３により構成されている。なお、本考案においては、シート本体１０のうち、排泄物Ｅが排泄される面を表面とし、床に載置される面を裏面とする。
【００１５】
第１シート１１は、防水材により構成されている。第１シート１１の裏面に、固定テープ２０が配置されている。第１シート１１が防水材であるため、床に広げたシート本体１０の表面に排泄物Ｅが排泄され、仮に第３シートが吸水しきれなかった水分があったとしても、床や地面が汚れるのを防ぐことができる。
【００１６】
第２シート１２は不織布により構成されている。第２シート１２の平面視での大きさは、第１シート１１と同等になっている。
第３シート１３は、一対の吸水紙同士の間に、高分子ポリマーシートと、パルプ材シートと、が挟まれた構造となっており、高い吸水性を有している。第３シート１３の平面視での大きさは、第１シート１１よりも一回り小さくなっている。
【００１７】
固定テープ２０は、シート本体１０の裏面の中央部に配置されている。図示の例では、固定テープ２０は、シート本体１０の長辺に沿って延びている。
固定テープ２０は、第１シート１１の裏面のうち、長辺方向および短辺方向の中央部に配置されている。固定テープ２０は粘着テープで構成されている。
【００１８】
次に、図３を用いて固定テープ２０の構造について詳述する。図３は、ペット用トイレシート１の側面図である。なお、この図では、説明の為に各部材の厚みを拡大して表現している。
図３に示すように、固定テープ２０は、シート本体１０に全体が固着された矩形片状の固着部２１と、基端部を除く部分が、固着部２１に対して着脱可能とされたシール部２２と、を備えている。
【００１９】
固着部２１の表裏面のうち、第１シート１１側を向く裏面には、全域にわたって接着剤が塗布され、シート本体１０の第１シート１１の裏面に固着されている。
シール部２２の基端部は、固着部２１の長辺方向における中央部に接続されている。シール部２２は、固着部２１に沿って延びている。
【００２０】
シール部２２の大きさは、固着部２１の約半分になっている。
シール部２２の表裏面のうち、固着部２１側を向く裏面における基端部を除く部分は、粘着性を備え、固着部２１に着脱可能な状態で貼付されている。
シール部２２の先端部は、シート本体１０と異なる色になっている。
【００２１】
次に、図４を用いてペット用トイレシート１の使用手順について説明する。図４は、ペット用トイレシート１の使用手順を示す図である。
まず、図４（ａ）に示すように、シート本体１０の表面を上側に向けた状態で拡げ、ペットがシート本体１０に排泄を行う。
【００２２】
次に、図４（ａ）に示すように、排泄物Ｅを包み込みながら、横方向にシート本体１０を三つ折りにして畳む。
そして、図４（ｂ）に示すように、縦方向に二つ折りにする。この際、図４（ｃ）に示すように、シール部２２のうち、基端部を除く部分を固着部２１からはがしておく。
【００２３】
そして、図４（ｄ）に示すように、シート本体１０を丸めながら、シール部２２をシート本体１０の一部に貼り付けることで、シート本体１０を丸めた状態で固定する。これにより、図４（ｅ）に示す状態となる。最後に、丸められた状態で固定されたペット用トイレシート１をゴミ箱等に廃棄する。
【００２４】
以上説明したように、本実施形態に係るペット用トイレシート１によれば、上面視で矩形状を呈するシート本体１０の裏面に、矩形片状の固定テープ２０が固定されている。
このため、ペットが使用した後に、排泄物Ｅを包み込むようにシート本体１０を畳んだ状態で、裏側に配置された固定テープ２０を用いてシート本体１０を固定することができる。これにより、排泄物Ｅを包み込むようにしてシートを畳んだ状態で、シートが広がるのを確実に抑えることができる。
【００２５】
ここで、仮に固定テープ２０がシート本体１０の周縁部に配置されているような場合には、シート本体１０を畳んで固定テープ２０を用いて固定する作業において、固定テープ２０が配置されている周縁部を外部に出しておく必要がある。
このため、シート本体１０の周縁部が内側に包み込まれるように、シート本体１０を畳むことができず、シート本体１０を畳んだ際のコンパクトにできるサイズに制限がある。
【００２６】
一方、本考案のペット用トイレシート１では、固定テープ２０が、シート本体１０の裏面の中央部に配置されている。
このため、シート本体１０をコンパクトに畳み、シート本体１０の周縁部が、幾重にも重なりあうシート本体１０の内側に包みこまれたとしても、固定テープ２０を常に外部に位置させることができる。これにより、固定テープ２０を用いてシート本体１０を固定する作業を確実に行うことができる。
【００２７】
また、固定テープ２０が、シート本体１０の長辺に沿って延びているので、前述した使用手順に従って、ペット用トイレシート１を廃棄する過程において、最初に横方向に三つ折りにして畳んだ状態におけるシート本体１０の長手方向の大きさを確保することができる。
これにより、その後のシート本体１０を丸める作業において、長手方向の端部から排泄物Ｅが漏れ出るのを抑えることができる。
【００２８】
また、固定テープ２０が、シート本体１０に全体が固着された固着部２１と、基端部を除く部分が、固着部２１に対して着脱可能とされたシール部２２と、を備えている。
このため、固定テープ２０を固着部２１により確実にシート本体１０に固定しながら、シール部２２の一部を固着部２１から外して、畳んだシート本体１０を固定する作業に使用することができる。
【００２９】
また、シール部２２の先端部は、シート本体１０と異なる色になっているので、シール部２２を操作する際に、シール部２２の視認性を確保することができる。
これにより、固定テープ２０の取扱性を確保することができる。
【００３０】
なお、前述の実施形態は、本考案の代表的な実施形態を単に例示したものにすぎない。したがって、本考案の趣旨を逸脱しない範囲において、前述の実施形態に対して種々の変形を行ってもよい。
【００３１】
例えば、上記実施形態においては、固定テープ２０は、シート本体１０の長辺に沿って延びている構成を示したが、このような態様に限られない。
例えば、図５に示す変形例に係るペット用トイレシート２のように、固定テープ２０は、シート本体１０の短辺に沿って延びてもよい。
また、シート本体１０は正方形状であってもよい。この場合には、固定テープ２０はいずれか一方の辺に沿って延びていればよい。
【００３２】
また、上記実施形態においては、固定テープ２０が、固着部２１とシール部２２とを備えている構成を示したが、このような態様に限られない。固定テープ２０は、例えば全体がシート本体１０に対して着脱可能な構成であってもよい。
また、上記実施形態においては、固定テープ２０が粘着テープで構成されている構成を示したが、このような態様に限られない。固定テープ２０が粘着性を備えない紐であり、このような固定テープ２０により、畳んだシート本体１０を括ることで固定するような態様であってもよい。
【００３３】
また、上記実施形態においては、シール部２２の先端部は、シート本体１０と異なる色になっている構成を示したが、このような態様に限られない。シール部２２の先端部は、シート本体１０と同じ色であってもよい。
【００３４】
また、前述した変形例に限られず、これらの変形例を選択して適宜組み合わせてもよいし、その他の変形を施してもよい。
【符号の説明】
【００３５】
１  ペット用トイレシート
１０  シート本体
２０  固定テープ
２１  固着部
２２  シール部
【図１】
0003220037.tif 000003
【図２】
0003220037.tif 000004
【図３】
0003220037.tif 000005
【図４】
0003220037.tif 000006
【図５】
0003220037.tif 000007